(57)【特許請求の範囲】
【請求項１】
来訪者が居住者を呼び出して通話するための玄関子機と、前記玄関子機からの呼び出しに居住者が応答するための居室親機と、を備えたインターホン装置であって、
前記玄関子機は、前記来訪者が保持するＩＣカードに記録されたＩＤ情報を読み取る子機読取部と、前記ＩＤ情報を前記居室親機に送信する子機送信部と、を備え、
前記居室親機は、前記ＩＤ情報を含む管理データを記録する記憶部と、前記ＩＤ情報を前記子機送信部から受信する親機受信部と、前記ＩＤ情報が前記記憶部に登録されている登録済みＩＤ情報と一致するか否かを判断する判断部と、前記判断部により前記ＩＤ情報が前記登録済みＩＤ情報と一致すると判断された場合には前記玄関子機に時刻情報を送信する親機送信部と、を備え、
前記玄関子機は、さらに、前記親機送信部から前記時刻情報を受信する子機受信部と、前記子機受信部が受信した前記時刻情報を前記ＩＣカードに書き込む子機書込部と、を備え、
前記来訪者は、前記居住者を介護する訪問介護者または前記居住者の安否確認を行う安否確認者であり、
前記ＩＣカードには、前記ＩＤ情報とともに介護記録データが記録されている、インターホン装置。
【請求項２】
前記時刻情報には、前記子機書込部によって前記ＩＣカードに書き込まれた日時が、前記来訪者が前記居住者の住戸に入室したものと定義された入室時刻および前記住戸から退室したものと定義された退室時刻として含まれる、請求項１に記載のインターホン装置。
【請求項３】
前記玄関子機は、前記子機読取部が前記ＩＤ情報を読み取る際に、前記来訪者を撮影する撮像部を、備え、
前記子機書込部は、前記撮像部により撮影された画像データを前記ＩＣカードに記録させる、請求項１または２に記載のインターホン装置。
【請求項４】
前記居室親機は、前記親機受信部が受信した前記ＩＤ情報に基づき、前記来訪者または前記居住者に関するメッセージを表示する表示部または前記来訪者または前記居住者に関する音声案内を通知する音声通知部を備える、請求項１から３のいずれか一項に記載のインターホン装置。
【請求項５】
請求項１から請求項４のいずれか一項に記載のインターホン装置と、
前記ＩＣカードと通信可能な電子計算機と、を備え、
前記電子計算機は、
前記時刻情報を管理する管理部、を備えている、インターホンシステム。
【発明の詳細な説明】
【技術分野】
【０００１】
本発明は、インターホン装置およびインターホンシステムに関する。
【背景技術】
【０００２】
玄関子機に来訪者を撮像するためのカメラを設けると共に、居室親機にカメラが撮像した映像を表示するモニタを設けて、居住者が呼び出しに応答する際、来訪者をモニタで確認できるインターホン装置が普及している。このようなインターホン装置では、モニタに他の情報を表示させて利便性を高めたものがあり、例えば特許文献１では、体重計や歩数計等からデータを読み取って、表示させている。
【先行技術文献】
【特許文献】
【０００３】
【特許文献１】特開２０１０−２２６４９２号公報
【発明の概要】
【発明が解決しようとする課題】
【０００４】
訪問介護のニーズ拡大等に伴い、居住者宅を訪問する訪問介護者により居住者（被介護者）の日々の生活を支援するための機器としてインターホン装置を用いることが考えうる。
【０００５】
そこで、本発明は、簡易な操作で介護支援に寄与できるインターホン装置および当該インターホン装置を用いたインターホンシステムを提供することを目的とする。
【課題を解決するための手段】
【０００６】
本発明にかかるインターホン装置は、
来訪者が居住者を呼び出して通話するための玄関子機と、前記玄関子機からの呼び出しに居住者が応答するための居室親機と、を備えたインターホン装置であって、
前記玄関子機は、前記来訪者が保持するＩＣカードに記録されたＩＤ情報を読み取る子機読取部と、前記ＩＤ情報を前記居室親機に送信する子機送信部と、を備え、
前記居室親機は、前記ＩＤ情報を含む管理データを記録する記憶部と、前記ＩＤ情報を前記子機送信部から受信する親機受信部と、前記ＩＤ情報が前記記憶部に登録されている登録済みＩＤ情報と一致するか否かを判断する判断部と、前記判断部により前記ＩＤ情報が前記登録済みＩＤ情報と一致すると判断された場合には前記玄関子機に時刻情報を送信する親機送信部と、を備え、
前記玄関子機は、さらに、前記親機送信部から前記時刻情報を受信する子機受信部と、前記子機受信部が受信した前記時刻情報を前記ＩＣカードに書き込む子機書込部と、を備えている。
【０００７】
上記構成によれば、インターホン装置を用いて、簡便な方法で来訪者の来訪日時を管理することができる。
【０００８】
また、本発明のインターホン装置において、
前記時刻情報には、前記来訪者が前記居住者の住戸に入室した日時および前記住戸から退室した日時が含まれる構成としてもよい。
【０００９】
上記構成によれば、インターホン装置を用いて、来訪者の入室時刻や退室時刻をＩＣカードに記録でき、来訪者の勤怠管理等に役立たせることができる。
【００１０】
また、本発明のインターホン装置において、
前記玄関子機は、前記子機読取部が前記ＩＤ情報を読み取る際に、前記来訪者を撮影する撮像部を、備え、
前記子機書込部は、前記撮像部により撮影された画像データを前記ＩＣカードに記録させる構成としてもよい。
【００１１】
上記構成によれば、来訪者の画像データをＩＣカードに記録できるため、来訪者の成りすまし等を防止することができる。
【００１２】
また、本発明のインターホン装置において、
前記居室親機は、前記親機受信部が受信した前記ＩＤ情報に基づき、前記来訪者または前記居住者に関するメッセージを表示する表示部または前記来訪者または前記居住者に関する音声案内を通知する音声通知部を備える構成としてもよい。
【００１３】
上記構成によれば、必要な場合には、来訪者のＩＤ情報に基づき、来訪者の訪問を居住者に知らせることができる。
【００１４】
また、本発明のインターホン装置において、
前記来訪者は、前記居住者を介護する訪問介護者であってもよい。
【００１５】
上記構成によれば、訪問介護者である来訪者がＩＣカードに居住者宅への来訪日時等を示す時刻情報を記録して介護施設や事務所に持ち帰ることができる。
【００１６】
また、本発明のインターホンシステムは、
上記に記載のインターホン装置と、
前記ＩＣカードと通信可能な電子計算機と、を備え、
前記電子計算機は、
前記時刻情報を管理する管理部、を備えている。
【００１７】
上記構成によれば、ＩＣカードに記録された時刻情報を例えば介護施設に設けられた電子計算機により管理することで、当該時刻情報を勤怠管理や介護給付費明細書の発行に用いることができる。
【発明の効果】
【００１８】
本発明によれば、簡易な操作で介護支援に寄与できるインターホン装置および当該インターホン装置を用いたインターホンシステムを提供することができる。
【図面の簡単な説明】
【００１９】
【図１】本発明の実施形態を示すインターホンシステムの概略構成図である。
【図２】図１に示されるインターホンシステムの概略ブロック図である。
【図３】実施例１に係るインターホンシステムの動作パターンを示すフローチャートである。
【図４】図３から続く実施例１に係るインターホンシステムの動作パターンを示すフローチャートである。
【図５】図１のインターホンシステムに用いられるインターホン装置を構成する居室親機の概略構成図である。
【図６】居室親機の別の表示例を示す概略図である。
【図７】居室親機のさらに別の表示例を示す概略図である。
【図８】実施例２に係るインターホンシステムの概略ブロック図である。
【図９】実施例２に係るインターホンシステムの動作パターンを示すフローチャートである。
【発明を実施するための形態】
【００２０】
以下、本発明に係るインターホン装置およびインターホンシステムの実施の形態の例を、図面を参照して説明する。
【００２１】
（全体構成）
図１および図２に示すように、本実施形態に係るインターホンシステム１は、玄関子機２０および居室親機３０を備えたインターホン装置１０と、ＩＣカード４０と、電子計算機５０と、サーバ６０と、生体情報測定機器７０とから構成されている。インターホン装置１０の玄関子機２０および居室親機３０は、マンション等の集合住宅や一戸建てなどの住戸Ｊに設置される。
【００２２】
玄関子機２０は、住戸Ｊ内に在宅中の居住者Ｒを呼び出す際に、来訪者Ｖが所定の呼出操作を行うためのものであり、住戸Ｊの玄関における外壁面等に設けられている。玄関子機２０は、玄関子機マイク２１、玄関子機スピーカ２２、玄関子機操作部２３、玄関子機カメラ２４（撮像部の一例）、玄関子機カードリーダ・ライタ２５（子機読取部および子機書込部の一例）、玄関子機ＣＰＵ２６、玄関子機アプリケーション格納部２７および玄関子機通信インターフェース２８（子機受信部および子機送信部の一例）を備えている。
【００２３】
玄関子機マイク２１および玄関子機スピーカ２２は、来訪者Ｖが住戸Ｊの居住者Ｒとの間で通話をする際に、音声を入出力するためのものである。玄関子機操作部２３は、来訪者Ｖが居住者Ｒを呼び出すための呼出操作を行う際に来訪者Ｖによって操作される部分である。玄関子機カメラ２４は、呼出操作を行う来訪者Ｖを撮影するためのものである。玄関子機カードリーダ・ライタ２５は、来訪者Ｖが所持するＩＣカード４０をかざしてＩＣカード４０に記録されたデータ（例えば、ＩＤ情報）を読み取ったり、玄関子機ＣＰＵ２６に記録された各種データをＩＣカード４０に書き込んだりするためのものである。
【００２４】
玄関子機マイク２１、玄関子機スピーカ２２、玄関子機操作部２３、玄関子機カメラ２４および玄関子機カードリーダ・ライタ２５は、玄関子機ＣＰＵ２６に接続されている。玄関子機ＣＰＵ２６には、玄関子機マイク２１からの音声信号、玄関子機カメラ２４からの映像信号および玄関子機カードリーダ・ライタ２５からのデータ信号が送信される。また、玄関子機操作部２３が操作されることで玄関子機操作部２３から入力信号が玄関子機ＣＰＵ２６に送信される。また、玄関子機ＣＰＵ２６は、玄関子機スピーカ２２へ音声信号を出力する。玄関子機ＣＰＵ２６には、玄関子機アプリケーション格納部２７が接続されており、玄関子機ＣＰＵ２６は、玄関子機アプリケーション格納部２７に格納されているアプリケーションに基づいて、玄関子機２０を制御する。玄関子機ＣＰＵ２６には、玄関子機通信インターフェース２８が接続されており、これにより、玄関子機２０は、玄関子機通信インターフェース２８を介して玄関子機ＣＰＵ２６が居室親機３０との間で信号の送受信を行う。
【００２５】
居室親機３０は、玄関子機２０からの来訪者Ｖによる呼出に居住者Ｒが応答するためのものであり、住戸Ｊの室内における壁面等に設けられている。居室親機３０は、居室親機マイク３１、居室親機スピーカ３２（音声通知部の一例）、居室親機操作部３３、居室親機表示部３４、居室親機カードリーダ・ライタ３５（親機読取部および親機書込部の一例）、無線受信部３６、居室親機ＣＰＵ３７、居室親機アプリケーション格納部３８および居室親機通信インターフェース３９（親機受信部および親機送信部の一例）を備えている。
【００２６】
また、居室親機３０は、音声操作部３３ａおよびタッチ操作部３３ｂ（メッセージ確認部の一例）を備えている。音声操作部３３ａは、音声による操作が可能であり、居住者Ｒが居室親機３０の居室親機マイク３１に向かって話すことで、その音声によって居室親機３０が操作される。タッチ操作部３３ｂは、タッチパネルからなる居室親機表示部３４の一部からなるもので、このタッチ操作部３３ｂをタッチ操作することで居室親機３０が操作される（図５参照）。
【００２７】
居室親機マイク３１および居室親機スピーカ３２は、居住者Ｒが来訪者Ｖとの間で通話をする際に、音声を入出力するためのものである。居室親機操作部３３は、居住者Ｒによって操作される部分である。この居室親機操作部３３は、玄関子機２０からの呼出へ応対するための応対操作を受け付ける。例えば、居住者Ｒが居室親機操作部３３を操作することで、玄関子機２０からの呼出に応対すべく、来訪者Ｖとの間での通話を可能とし、玄関扉を開放する解除操作が行われる。居室親機表示部３４は、玄関子機２０の玄関子機カメラ２４で撮影された来訪者Ｖの映像を表示するためのものである。居室親機カードリーダ・ライタ３５は、来訪者Ｖが所持するＩＣカード４０をかざしてＩＣカード４０内のデータ信号を読み取ったり、居室親機ＣＰＵ３７に記録された各種データをＩＣカード４０に書き込んだりするためのものである。
【００２８】
居室親機マイク３１、居室親機スピーカ３２、居室親機操作部３３、居室親機表示部３４、居室親機カードリーダ・ライタ３５および無線受信部３６は、居室親機ＣＰＵ３７に接続されている。居室親機ＣＰＵ３７には、居室親機マイク３１からの音声信号、居室親機カードリーダ・ライタ３５からのデータ信号および無線受信部３６からのデータ信号が送信される。また、居室親機操作部３３が操作されることで居室親機操作部３３から入力信号が居室親機ＣＰＵ３７に送信される。また、居室親機ＣＰＵ３７は、居室親機スピーカ３２へ音声信号を出力し、居室親機表示部３４へ映像信号を出力する。居室親機ＣＰＵ３７には、居室親機アプリケーション格納部３８が接続されており、居室親機ＣＰＵ３７は、居室親機アプリケーション格納部３８に格納されているアプリケーションに基づいて、居室親機３０を制御する。居室親機ＣＰＵ３７には、居室親機通信インターフェース３９が接続されている。居室親機ＣＰＵ３７は、居室親機通信インターフェース３９を介して玄関子機２０との間で信号の送受信を行う。
【００２９】
また、居室親機ＣＰＵ３７は、記憶部３７ａ、情報生成部３７ｂおよび判断部３７ｃを有している。記憶部３７ａは、ＩＣカード４０が適切なものであるか否かを判断するために用いられる登録済みＩＤ情報や後述の介護記録データ等を記憶する。情報生成部３７ｂは、記憶部３７ａに記憶されている介護記録データ等を居室親機操作部３３の操作に基づいて更新する。判断部３７ｃは、ＩＣカード４０のＩＤ情報があらかじめ記憶部３７ａに登録されている登録済みＩＤ情報と一致するか否かを判断する。
【００３０】
ＩＣカード４０は、例えばＲＦＩＤタグを内蔵したカードであり、来訪者Ｖ（例えば、訪問介護者や安否確認者）により携行される。このＩＣカード４０には、来訪者Ｖの識別番号であるＩＤ情報、および居住者Ｒの介護スケジュールを含む介護記録データ等が記録されている。来訪者ＶがＩＣカード４０を玄関子機２０の玄関子機カードリーダ・ライタ２５や居室親機３０の居室親機カードリーダ・ライタ３５にかざすことにより、ＩＣカード４０に記録されたＩＤ情報や介護記録データが玄関子機カードリーダ・ライタ２５や居室親機カードリーダ・ライタ３５により読み取られる。一方、玄関子機２０や居室親機３０に記録されている各種データが、玄関子機カードリーダ・ライタ２５や居室親機カードリーダ・ライタ３５によりＩＣカード４０に書き込まれる。
【００３１】
電子計算機５０は、住戸Ｊとは異なる建物に設けられたものであり、本実施形態においては、例えば訪問介護者である来訪者Ｖの勤務する介護施設Ｋに設けられていることが好ましい。この電子計算機５０は、計算機カードリーダ・ライタ５１（計算機読取部および計算機書込部の一例）、計算機ＣＰＵ５５、計算機アプリケーション格納部５６、計算機記録部５７および計算機通信インターフェース５８を備えている。
【００３２】
計算機カードリーダ・ライタ５１は、来訪者ＶがＩＣカード４０をかざすことでＩＣカード４０のＩＤ情報や介護記録データを読み取ったり、電子計算機５０に記憶された各種データをＩＣカード４０に書き込んだりするためのものである。計算機ＣＰＵ５５には、計算機アプリケーション格納部５６が接続されており、計算機ＣＰＵ５５は、計算機アプリケーション格納部５６に格納されているアプリケーションに基づいて、各種の制御を行う。計算機記録部５７には、各種の情報が記憶可能とされており、計算機ＣＰＵ５５によって情報の書き込みおよび読み出しが行われる。計算機ＣＰＵ５５は、計算機管理部５５ａを備えており、計算機ＣＰＵ５５は計算機記録部５７に記録された介護記録データ等の情報を当該計算機管理部５５ａにより管理および更新する。また、計算機ＣＰＵ５５には、計算機通信インターフェース５８が接続されている。この計算機通信インターフェース５８は、通信ネットワークＩｎに接続されており、電子計算機５０は、通信ネットワークＩｎを介して通信が可能とされている。
【００３３】
サーバ６０は、住戸Ｊとは異なる建物に設けられたものであって、電子計算機５０と通信可能となるように通信ネットワークＩｎに接続されている。このサーバ６０は、サーバＣＰＵ６５、サーバアプリケーション格納部６６、サーバ通信インターフェース６７およびサーバ記録部６８を備えている。
【００３４】
サーバＣＰＵ６５には、サーバアプリケーション格納部６６が接続されており、サーバＣＰＵ６５は、サーバアプリケーション格納部６６に格納されているアプリケーションに基づいて、各種の制御を行う。また、サーバＣＰＵ６５には、サーバ通信インターフェース６７が接続されている。サーバ通信インターフェース６７は、通信ネットワークＩｎに接続され、通信ネットワークＩｎを介して電子計算機５０の計算機通信インターフェース５８と通信が可能となっている。サーバ記録部６８は、サーバＣＰＵ６５に接続されている。このサーバ記録部６８には、各種情報を含む管理データが記憶可能とされており、サーバＣＰＵ６５によって管理データの更新が行われる。
【００３５】
生体情報測定機器７０は、住戸Ｊの居住者Ｒの生体情報を測定するための機器であって、例えば体重計や血圧計である。生体情報測定機器７０は、生体情報データ（体重データや血圧データ）を無線で送信する無線送信部７１を有し、測定した生体情報データを所定の送信操作により居室親機３０に設けられた無線受信部３６に送信できるよう構成されている。なお、無線による送受信は、例えばＢｌｕｅｔｏｏｔｈ（登録商標）で行うことができる。Ｂｌｕｅｔｏｏｔｈの代わりに赤外線通信等で送受信を行っても良い。居室親機３０の無線受信部３６で受信された生体情報データは、記憶部３７ａに記憶されるとともに、図７に示すように居室親機表示部３４に表示することが可能である。
【００３６】
（実施例１）
次に、実施例１として、上記構成のインターホンシステム１における動作パターンの一例を図３〜７を参照して説明する。
実施例１においては、来訪者Ｖは住戸Ｊを訪問して居住者Ｒの介護を行う訪問介護者ＶＡであり、居住者Ｒは訪問介護を受ける被介護者である。訪問介護者ＶＡは、例えば介護施設Ｋに勤務する介護士である。
【００３７】
最初に、訪問介護者ＶＡは、勤務先の介護施設Ｋに設置された電子計算機５０を用い、居住者Ｒ（以下、被介護者Ｒとする。）の介護内容の確認や介護スケジュールを含む介護記録データの作成を行う（図３のステップＳ１）。その後、訪問介護者ＶＡは、計算機カードリーダ・ライタ５１にＩＣカード４０をかざし、電子計算機５０内に記録された被介護者Ｒの介護内容や介護スケジュール等の介護記録データをＩＣカード４０に書き込む（ステップＳ２）。
【００３８】
次に、訪問介護者ＶＡがＩＣカード４０を持って被介護者Ｒの住戸Ｊを訪問し、ＩＣカード４０を住戸Ｊの玄関子機２０に設けられた玄関子機カードリーダ・ライタ２５にかざす（ステップＳ３）。このとき、玄関子機カードリーダ・ライタ２５はＩＣカード４０に記録されているＩＤ情報を読み取る（ステップＳ４）。そして、玄関子機ＣＰＵ２６は、読み取られたＩＤ情報を、玄関子機通信インターフェース２８を通じて居室親機通信インターフェース３９に送信する（ステップＳ５）。
【００３９】
次に、居室親機ＣＰＵ３７は、居室親機通信インターフェース３９により受信したＩＣカード４０のＩＤ情報が記憶部３７ａにあらかじめ登録された登録済みＩＤ情報と一致するかどうかを、判断部３７ｃに判断させる（ステップＳ６）。判断部３７ｃにおいて、ＩＣカード４０のＩＤ情報が登録済みＩＤ情報と一致しないと判断された場合には（ステップＳ６のＮｏ）、居室親機ＣＰＵ３７は、処理を終了する（ステップＳ７）。なお、この場合、居室親機ＣＰＵ３７はＩＤ情報が不一致である旨の情報を玄関子機通信インターフェース２８に送信し、その旨を玄関子機２０から訪問介護者ＶＡに対して報知する構成としてもよい。一方、判断部３７ｃにおいて、ＩＣカード４０のＩＤ情報が登録済みＩＤ情報と一致すると判断された場合には（ステップＳ６のＹｅｓ）、居室親機ＣＰＵ３７は、居室親機表示部３４に訪問介護者ＶＡから呼び出しを受けた旨のメッセージを表示する（ステップＳ８）。また、このとき、居室親機ＣＰＵ３７は、居室親機スピーカ３２により訪問介護者ＶＡから呼び出しを受けた旨の音声案内を通知してもよい。
【００４０】
次に、居室親機ＣＰＵ３７は、ＩＣカード４０のＩＤ情報が登録済みＩＤ情報と一致した旨の一致確認情報を、居室親機通信インターフェース３９を介して玄関子機通信インターフェース２８に送信する（ステップＳ９）。玄関子機ＣＰＵ２６は、受信した一致確認情報に基づき、その時の日時（時刻情報）を入室時刻として玄関子機カードリーダ・ライタ２５によりＩＣカード４０に書き込ませる（ステップＳ１０）。これにより、訪問介護者ＶＡが被介護者Ｒの住戸Ｊを訪問した日時（入室時刻）がＩＣカード４０に記録される。なお、ＩＣカード４０のＩＤ情報が登録済みＩＤ情報と一致していると判断された場合には、玄関子機ＣＰＵ２６あるいは居室親機ＣＰＵ３７は、住戸Ｊの玄関扉を空気錠（図示省略）により自動で開錠するようにしてもよい。
【００４１】
次に、訪問介護者ＶＡが住戸Ｊに入室し、居室親機３０に設けられた居室親機カードリーダ・ライタ３５にＩＣカード４０をかざす（図４のステップＳ１１）。これにより、居室親機カードリーダ・ライタ３５はＩＣカード４０に記録されているＩＤ情報および介護記録データを読み取る（ステップＳ１２）。そして、居室親機カードリーダ・ライタ３５はその時の日時（時刻情報）をＩＣカード４０に書き込む（ステップＳ１３）。
【００４２】
次に、居室親機ＣＰＵ３７は、ＩＣカード４０から読み取った介護記録データを記憶部３７ａに記憶させるとともに、居室親機アプリケーション格納部３８にインストールされた専用のアプリケーションによって介護記録データを適切なデータ形式に変更する（ステップＳ１４）。そして、居室親機ＣＰＵ３７は、変更した介護記録データを居室親機表示部３４に表示させる（ステップＳ１５）。居室親機表示部３４に表示された介護記録データに基づき、訪問介護者ＶＡまたは被介護者Ｒは介護内容や介護スケジュールを確認することができる。訪問介護者ＶＡまたは被介護者Ｒによるタッチ操作部３３ｂの操作等により、居室親機ＣＰＵ３７は、情報生成部３７ｂに介護記録データを更新させる（ステップＳ１６）。例えば、図５に示すように、訪問介護者ＶＡが排泄介助、食事介助、入浴介助などの介助実施後にタッチ操作部３３ｂを操作することで、居室親機ＣＰＵ３７は介護記録データを更新する。
【００４３】
また、居室親機ＣＰＵ３７は、記憶部３７ａに記憶された介護記録データ中の介護スケジュールに基づき所定の時刻にメッセージを居室親機表示部３４に表示する。このとき、居室親機ＣＰＵ３７は、居室親機スピーカ３２から音声案内を通知してもよい。例えば、図６に示されるように、「お薬の時間です。」というメッセージを居室親機表示部３４に表示するとともに、居室親機スピーカ３２を通して音声案内を行う。このようなメッセージを見たり音声案内を聞いたりした被介護者Ｒ（または訪問介護者ＶＡ）がタッチ操作部３３ｂを操作する、または居室親機マイク３１を介して音声操作部３３ａに対して返答することで、居室親機ＣＰＵ３７は被介護者Ｒ等がメッセージや音声案内を把握したことを確認して次の処理に進むことができる。
【００４４】
また、居室親機ＣＰＵ３７は、生体情報測定機器７０の無線送信部７１から無線受信部３６へ送信された生体情報データを記憶部３７ａに記憶させるとともに、居室親機アプリケーション格納部３８にインストールされた専用のアプリケーションによって生体情報データを適切なデータ形式に変更する。そして、居室親機ＣＰＵ３７は、図７に示すように、血圧履歴等の生体情報データを居室親機表示部３４に表示させることができる。居室親機ＣＰＵ３７は、生体情報データの受信やデータ表示を、ＩＣカード４０から読み取った介護記録データの処理とは独立して行うことができる。
【００４５】
訪問介護者ＶＡが住戸Ｊ内において被介護者Ｒの介護を行っている間（すなわち、ステップＳ１６において介護記録データの更新が適宜行われている間）、訪問介護者ＶＡはＩＣカード４０を居室親機カードリーダ・ライタ３５に都度かざす。このとき、居室親機ＣＰＵ３７は、情報生成部３７ｂにより更新された介護記録データや記憶部３７ａに記憶された生体情報データを居室親機カードリーダ・ライタ３５によりＩＣカード４０に書き込ませる（ステップＳ１７）。ステップＳ１７においては、居室親機カードリーダ・ライタ３５はその時の日時（時刻情報）をＩＣカード４０に書き込むこともできる。
【００４６】
次に、介護スケジュールが一通り終了し訪問介護者ＶＡが被介護者Ｒの住戸Ｊを退室する際に、訪問介護者ＶＡは玄関子機２０の玄関子機カードリーダ・ライタ２５にＩＣカード４０をかざす（ステップＳ１８）。このとき、玄関子機カードリーダ・ライタ２５はその時点での時刻（時刻情報）を退室時刻としてＩＣカード４０に書き込む。
【００４７】
次に、介護施設Ｋに戻った訪問介護者ＶＡは、電子計算機５０の計算機カードリーダ・ライタ５１にＩＣカード４０をかざす（ステップＳ１９）。このとき、計算機ＣＰＵ５５は、ＩＣカード４０に記録された介護記録データ（時刻情報や生体情報データ等を含む）を計算機カードリーダ・ライタ５１により読み込む（ステップＳ２０）。計算機ＣＰＵ５５は、計算機記録部５７に介護記録データを記憶させ、計算機アプリケーション格納部５６に格納されているアプリケーションに基づいて、各種のデータ処理を行う（ステップＳ２１）。具体的には、計算機ＣＰＵ５５は、介護記録データに基づき勤怠管理表や介護給付費明細書（介護レセプト）を作成することが可能である。
【００４８】
最後に、計算機ＣＰＵ５５は、計算機通信インターフェース５８から通信ネットワークＩｎを介してサーバ６０へ介護記録データ等を転送する（ステップＳ２２）。以上により、実施例１のインターホンシステム１の動作パターンが終了する。
【００４９】
以上、説明したように、実施例１に係るインターホン装置１０によれば、居室親機３０は、訪問介護者ＶＡである来訪者Ｖが所持するＩＣカード４０に記録されている介護記録データを読み取る居室親機カードリーダ・ライタ３５と、介護記録データに基づく情報を表示する居室親機表示部３４と、介護記録データを更新する情報生成部３７ｂと、を備え、居室親機カードリーダ・ライタ３５は、さらに情報生成部３７ｂにより更新された介護記録データをＩＣカード４０に書き込む機能を備えている。この構成によれば、インターホン装置１０を用いて、被介護者である居住者Ｒの住戸Ｊを訪問する訪問介護者ＶＡが介護記録データの閲覧、更新、管理等を行うことができる。このように、インターホン装置１０の居室親機３０と訪問介護者ＶＡが携行するＩＣカード４０とを連動させることで、訪問介護業務を効率化することができる。また、居住者Ｒは居室親機表示部３４に表示された介護記録データにより介護スケジュール等を容易に把握することができる。
【００５０】
また、本実施例に係るインターホン装置１０において、居室親機表示部３４は、介護記録データに基づいて所定の時刻に来訪者Ｖまたは居住者Ｒに対するメッセージを表示可能である。この構成によれば、例えば介護スケジュールに沿って居室親機表示部３４に表示されるメッセージにより、投薬時間や血圧測定時間が来たことを居住者Ｒあるいは来訪者Ｖに知らせることができる。
【００５１】
また、本実施例に係るインターホン装置１０において、居室親機３０は、居室親機表示部３４に表示されたメッセージを居住者Ｒまたは来訪者Ｖが見たことを確認するためのタッチ操作部３３ｂを備えている。この構成によれば、居室親機ＣＰＵ３７は、居室親機表示部３４に表示されたメッセージ等を居住者Ｒ等が確認したことを容易に把握することができ、その後の処理を円滑に進められる。
【００５２】
また、本実施例に係るインターホン装置１０において、居室親機３０は、介護記録データに基づいて所定の時刻に来訪者Ｖまたは居住者Ｒに対する音声案内を通知可能な居室親機スピーカ３２をさらに備えている構成としてもよい。この構成によれば、投薬時間や血圧測定時間が来たことを居室親機スピーカ３２から報知することで居住者Ｒあるいは来訪者Ｖが容易に把握することができる。
【００５３】
また、本実施例に係るインターホン装置１０において、玄関子機２０は、ＩＣカード４０に記録されているＩＤ情報を読み取る玄関子機カードリーダ・ライタ２５と、読み取ったＩＤ情報を居室親機３０に送信する玄関子機通信インターフェース２８と、を備えている。また、居室親機３０は、玄関子機通信インターフェース２８からＩＤ情報を受信する居室親機通信インターフェース３９と、ＩＤ情報が居室親機３０内にあらかじめ登録されている登録済みＩＤ情報と一致するか否かを判断する判断部３７ｃと、を備えている。そして、受信したＩＤ情報が登録済みＩＤ情報と一致すると判断された場合に、居室親機スピーカ３２によりＩＤ情報に基づく音声案内が通知される構成となっている。この構成によれば、来訪者ＶのＩＤ情報に基づき、適切な来訪者Ｖである場合にのみ居住者Ｒを呼び出すことができる。
【００５４】
また、本実施例に係るインターホン装置１０において、居室親機３０は、居室親機スピーカ３２からの音声案内に対し居住者Ｒまたは来訪者Ｖが返答したことを認識する音声操作部３３ａを備えている。この構成によれば、居室親機ＣＰＵ３７は、居住者Ｒ等が居室親機スピーカ３２からの音声案内を聞いたかどうかを容易に把握することができ、その後の処理を円滑に進めることができる。
【００５５】
また、本実施例に係る居室親機３０の居室親機ＣＰＵ３７は、ＩＣカード４０のＩＤ情報が居室親機３０の記憶部３７ａに登録されている登録済みＩＤ情報と一致するか否かを判断部３７ｃにより判断し、ＩＣカード４０のＩＤ情報が登録済みＩＤ情報と一致すると判断された場合には玄関子機２０に時刻情報を居室親機通信インターフェース３９を介して送信し、玄関子機２０の玄関子機ＣＰＵ２６は、受信した時刻情報を玄関子機カードリーダ・ライタ２５によりＩＣカード４０に書き込むように構成されている。この構成によれば、インターホン装置１０を用いて、簡便な方法で訪問介護者ＶＡの来訪日時を管理することができる。また、インターホン装置１０を用いて、訪問介護者ＶＡが住戸Ｊへ入室した日時および退室した日時をＩＣカード４０に記録しているため、これらの時刻情報を介護施設Ｋに持ち帰ることができ、訪問介護者ＶＡの勤怠管理等をスムーズに行うことができる。
【００５６】
また、本実施例に係る玄関子機２０は、玄関子機カードリーダ・ライタ２５がＩＣカード４０のＩＤ情報を読み取る際に、訪問介護者ＶＡを撮影する玄関子機カメラ２４を、備えており、玄関子機カメラ２４により撮像された訪問介護者ＶＡの画像データは玄関子機カードリーダ・ライタ２５によりＩＣカード４０に記録させることができる。この構成によれば、訪問介護者ＶＡの成りすまし等を防止することができる。
【００５７】
また、本実施例に係る居室親機３０は、体重計、血圧計等の生体情報測定機器７０に備えられた無線送信部７１から送信される生体情報データを受信する無線受信部３６を備えている。居室親機ＣＰＵ３７は、記憶部３７ａに生体情報データを記憶するともに、生体情報データを居室親機カードリーダ・ライタ３５によりＩＣカード４０に書き込せることができる。この構成によれば、訪問介護者ＶＡは居室親機３０を用いて生体情報データをＩＣカード４０に書き込んで住戸Ｊより持ち出すことができる。これにより、簡易な操作で居住者Ｒの健康管理および介護力の向上に寄与することができる。
【００５８】
また、本実施例に係る居室親機ＣＰＵ３７は、居室親機アプリケーション格納部３８に格納されているアプリケーションにより生体情報データを所定の表示形態に加工して居室親機表示部３４に表示させることができる。この構成によれば、居室親機表示部３４に、生体情報データを適切なグラフ等に加工して表示できるので、パーソナルコンピュータ等を使用してデータ管理をする必要がない。そのため、ネットワーク回線を敷設せずに、ランニングコスト無しで居住者Ｒの日々の生活を支援することができる。
【００５９】
また、本実施例に係る居室親機３０は、記憶部３７ａに記録された生体情報データに基づき、居室親機スピーカ３２を通じて居住者Ｒまたは訪問介護者ＶＡに音声案内を通知することができる。この構成によれば、例えば生体情報データが居室親機３０の記憶部３７ａに保存されたことや、生体情報データを確認するために必要な操作を、居住者Ｒあるいは訪問介護者ＶＡに容易に通知することができる。
【００６０】
さらに、本実施例に係るインターホンシステム１は、上記構成のインターホン装置１０と、ＩＣカード４０と通信可能な電子計算機５０と、を備えている。電子計算機５０は、介護記録データや時刻情報および生体情報データをＩＣカード４０から読み込んだりＩＣカード４０に書き込んだりするための計算機カードリーダ・ライタ５１と、介護記録データ等の情報を記録する計算機記録部５７と、計算機記録部５７に記録された介護記録データ等の管理や更新を行う計算機管理部５５ａと、を備えている。この構成によれば、例えば訪問介護者ＶＡが勤務する介護施設Ｋに設置された電子計算機５０により、介護記録データや生体情報データを管理することができ、介護支援や施設経営に役立たせることができる。また、電子計算機５０は、入室・退出日時を含む時刻情報を計算機管理部５５ａにより管理することで、当該時刻情報を勤怠管理や介護レセプトの発行に用いることができる。
【００６１】
（実施例２）
次に、図８および図９を参照して本実施形態に係る実施例２について説明する。実施例２においては、来訪者Ｖは居住者Ｒの安否確認を行う安否確認者ＶＢである。
安否確認者ＶＢは原則として住戸Ｊ内には立ち入らないため、実施例１とは異なり、実施例２においては、ＩＣカード４０Ｂは居室親機カードリーダ・ライタと近接される構成とはなっていない。また、居室親機３０の記憶部３７ａには、居住者データ（管理データの一例）が記録されている。この居住者データには、例えば、居住者ＲのＩＤ情報、訪問介護者ＶＡの最終訪問介護日時、介護スケジュールに基づく投薬などの確認時間記録、生体情報測定機器７０から受信した生体情報データの取得状況等が含まれる。また、安否確認者ＶＢは、例えばスマートフォン等の携帯端末８０を所持しており、ＩＣカード４０Ｂと携帯端末８０とが通信可能となっている。
【００６２】
携帯端末８０は、携帯端末マイク８１、携帯端末スピーカ８２、携帯端末操作部８３、携帯端末表示部８４（データ表示部の一例）、携帯端末ＣＰＵ８５、携帯端末アプリケーション格納部８６および携帯端末通信インターフェース８７を備えている。携帯端末８０の所有者（安否確認者ＶＢ）は、携帯端末マイク８１および携帯端末スピーカ８２により通話可能である。携帯端末操作部８３は、携帯端末８０の所有者によって各種操作される部分である。携帯端末表示部８４は、ＩＣカード４０Ｂから読み込んだ各種のデータを表示するためのものである。携帯端末マイク８１、携帯端末スピーカ８２、携帯端末操作部８３および携帯端末表示部８４は、携帯端末ＣＰＵ８５に接続されている。携帯端末操作部８３が操作されることで携帯端末操作部８３から入力信号が携帯端末ＣＰＵ８５に送信される。また、携帯端末ＣＰＵ８５は、携帯端末表示部８４へ映像等のデータ信号を出力する。携帯端末ＣＰＵ８５には、携帯端末アプリケーション格納部８６が接続されており、携帯端末ＣＰＵ８５は、携帯端末アプリケーション格納部８６に格納されているアプリケーションに基づいて、携帯端末８０を制御する。携帯端末ＣＰＵ８５には、携帯端末通信インターフェース８７が接続されている。携帯端末通信インターフェース８７は、通信ネットワークＩｎに接続可能であり、通信ネットワークＩｎを介してサーバ６０と通信が可能とされている。
【００６３】
以下、実施例２に係るインターホンシステム１における動作パターンの一例を説明する。
最初に、安否確認者ＶＢがＩＣカード４０Ｂを持って居住者Ｒの住戸Ｊを訪問し、ＩＣカード４０Ｂを玄関子機２０に設けられた玄関子機カードリーダ・ライタ２５にかざす（図９のステップＳ１０１）。玄関子機カードリーダ・ライタ２５はＩＣカード４０に記録されているＩＤ情報を読み取る（ステップＳ１０２）。次いで、玄関子機ＣＰＵ２６は、読み取られたＩＤ情報を、玄関子機通信インターフェース２８を通じて居室親機通信インターフェース３９に送信する（ステップＳ１０３）。
【００６４】
次に、居室親機ＣＰＵ３７は、居室親機通信インターフェース３９を介して受信したＩＤ情報について、記憶部３７ａにあらかじめ記録されている登録済みＩＤ情報と一致するか否かを判断部３７ｃに判断させる（ステップＳ１０４）。ＩＣカード４０ＢのＩＤ情報が登録済みＩＤ情報と一致しないと判断部３７ｃにより判断された場合には（ステップＳ１０４のＮｏ）、居室親機ＣＰＵ３７は、処理を終了する（ステップＳ１０５）。なお、この場合、ＩＤ情報が不一致である旨の情報を玄関子機通信インターフェース２８に送信し、玄関子機２０がその旨を安否確認者ＶＢに対して通知する構成としてもよい。一方、ＩＣカード４０ＢのＩＤ情報が登録済みＩＤ情報と一致すると判断部３７ｃにより判断された場合には（ステップＳ１０４のＹｅｓ）、居室親機ＣＰＵ３７は、記憶部３７ａに記録されている居住者データを収集する（ステップＳ１０６）。次いで、居室親機ＣＰＵ３７は、収集した居住者データを居室親機通信インターフェース３９を介して玄関子機通信インターフェース２８に送信する（ステップＳ１０７）。
【００６５】
次に、玄関子機ＣＰＵ２６は、受信した居住者データを、玄関子機カードリーダ・ライタ２５により安否確認者ＶＢが所持するＩＣカード４０Ｂに書き込ませる（ステップＳ１０８）。また、これと同時に安否確認者ＶＢが住戸Ｊを訪問した日時がＩＣカード４０Ｂに記録される。
【００６６】
次に、居住者データが書き込まれたＩＣカード４０Ｂは、Ｆｅｌｉｃａポート（登録商標）ＦＰ等の通信手段を介して携帯端末８０と接続される（ステップＳ１０９）。携帯端末８０の携帯端末通信インターフェース８７を介して読み取られた居住者データは、携帯端末ＣＰＵ８５により処理されるとともに、携帯端末通信インターフェース８７を介してサーバ６０に転送される（ステップ１１０）。
【００６７】
サーバＣＰＵ６５は、受信した居住者データに基づき安否判断部６５ａにおいて居住者Ｒの安否を判断し、安否確認データを作成する（ステップＳ１１１）。次いで、サーバＣＰＵ６５は、サーバ通信インターフェース６７を通じて安否確認データを携帯端末８０へ送信する（ステップＳ１１２）。最後に、携帯端末ＣＰＵ８５は、受信した安否確認データを携帯端末表示部８４に表示する（ステップＳ１１３）。
【００６８】
以上、説明したように、実施例２に係るインターホン装置１０において、居室親機３０は、居住者情報を含む居住者データ（管理データ）を記録する記憶部３７ａと、居住者データを玄関子機２０に送信する居室親機通信インターフェース３９と、を備えている。玄関子機２０は、安否確認者ＶＢが所持するＩＣカード４０Ｂに記録されたＩＤ情報を読み出す玄関子機カードリーダ・ライタ２５と、ＩＤ情報を居室親機３０に送信する玄関子機通信インターフェース２８と、を備え、玄関子機カードリーダ・ライタ２５は、居室親機通信インターフェース３９から送信された居住者データをＩＣカード４０Ｂに書き込むことができる。この構成によれば、安否確認者ＶＢが保持するＩＣカード４０Ｂに居住者Ｒの居住者データを記録させることで、安否確認者ＶＢが居住者Ｒを呼び出すことなくスムーズに安否情報等を取得することができる。
【００６９】
また、本実施例に係るインターホン装置１０において、居室親機３０は、ＩＣカード４０ＢのＩＤ情報が記憶部３７ａに登録されている登録済みＩＤ情報と一致するかどうかを判断する判断部３７ｃを備えており、ＩＣカード４０のＩＤ情報が登録済みＩＤ情報と一致すると判断された場合に玄関子機２０に居住者データが送信される構成となっている。この構成によれば、安否確認者ＶＢが所持するＩＣカード４０ＢのＩＤ情報が居室親機３０の記憶部３７ａに記録された登録済みＩＤ情報と一致する場合にのみ、ＩＣカード４０ｂに居住者データを記録させる構成であるため、セキュリティを確保することができる。
【００７０】
また、本実施例に係るインターホン装置１０において、居住者データには、さらに、居住者Ｒの介護記録データおよび生体情報データが含まれている。この構成によれば、安否確認者ＶＢはＩＣカード４０Ｂを玄関子機２０にかざすだけで、介護スケジュールなどの介護記録データや生体情報データを取得でき、容易に安否確認を行うことができる。なお、居住者Ｒの生体情報データ自体は個人情報であるため、個人情報保護の観点からＩＣカード４０Ｂへ書き込まれる居住者データには含めない構成としてもよい。
【００７１】
また、本実施例に係るインターホン装置１０において、居室親機３０は、玄関子機通信インターフェース２８から受信したＩＣカード４０ＢのＩＤ情報に基づき、安否確認者ＶＢに関するメッセージを表示する居室親機表示部３４を備えている。この構成によれば、必要な場合には、ＩＣカード４０ＢのＩＤ情報に基づき、安否確認者ＶＢの訪問を居住者Ｒに知らせることができる。
【００７２】
また、本実施例に係るインターホンシステム１は、上記構成のインターホン装置１０と、ＩＣカード４０Ｂと通信可能な携帯端末８０と、携帯端末８０と通信可能なサーバ６０と、を備えており、サーバ６０は、ＩＣカード４０Ｂに記録されたＩＤ情報または居住者データを記録して安否結果を判断する安否判断部６５ａを有している。この構成によれば、ＩＣカード４０Ｂに記録された安否情報等の管理データを、携帯端末８０を通してサーバ６０に記録し、安否結果や安否確認日時を容易に管理することができる。サーバ６０から安否確認データを受信して携帯端末表示部８４に表示させることで、安否確認者ＶＢは居住者Ｒの安否情報を容易に確認することができる。また、安否確認者ＶＢが居住者Ｒの安否を確認した日時（時刻情報）をサーバ６０に記録することもできる。
【００７３】
なお、上記実施例２においては、ＩＣカード４０Ｂに記録された居住者データは携帯端末８０に送信される構成となっているが、当該居住者データを携帯端末８０の代わりに安否確認者ＶＢの自宅等に設置された電子計算機に送信し、電子計算機からサーバ６０へ転送する構成としてもよい。電子計算機を介してサーバ６０と居住者データや安否確認データをやり取りすることで、携帯端末８０よりも詳細なデータをサーバ６０から受け取り安否確認者ＶＢが管理することができる。
【００７４】
以上、本発明を詳細にまた特定の実施態様を参照して説明したが、本発明の精神と範囲を逸脱することなく様々な変更や修正を加えることができることは当業者にとって明らかである。
【００７５】
上記の実施形態においては、生体情報測定機器７０から体重や血圧等のデータが無線送信により居室親機３０に送信される構成としているが、生体情報測定機器７０に代えて歩数計や電動ウォーカー等の健康管理機器から歩数データ等が送信される構成としてもよい。
【符号の説明】
【００７６】
１０：インターホンシステム、２０：玄関子機、２４：玄関子機カメラ（撮像部の一例）、２５：玄関子機カードリーダ・ライタ（子機読取部および子機書込部の一例）、２６：玄関子機ＣＰＵ、２８：玄関子機通信インターフェース（子機受信部および子機送信部の一例）、３０：居室親機、３２：居室親機スピーカ（音声通知部の一例）、３３：操作部、３３ａ：音声操作部、３３ｂ：タッチ操作部（メッセージ確認部の一例）、３５：居室親機カードリーダ・ライタ（親機読取部および親機書込部の一例）、３６：無線受信部、３７：居室親機ＣＰＵ、３７ａ：記憶部、３７ｂ：情報生成部、３７ｃ：判断部、３９：居室親機通信インターフェース（親機受信部および親機送信部の一例）、４０：ＩＣカード、５０：電子計算機、５１：計算機カードリーダ・ライタ（計算機読取部および計算機書込部の一例）、５５：計算機ＣＰＵ、５５ａ：情報管理部、５８：計算機通信インターフェース、６０：サーバ、６５：サーバＣＰＵ、６７：サーバ通信インターフェース、７０：生体情報測定機器、７１：無線送信部、８０：携帯端末、８４：携帯端末表示部（データ表示部の一例）、８５：携帯端末ＣＰＵ、８７：携帯端末通信インターフェース、Ｉｎ：通信ネットワーク、Ｖ：来訪者、ＶＡ：訪問介護者、Ｒ：居住者（被介護者）、Ｊ：住戸、Ｋ：介護施設
【図１】
0006468918.tif 000002
【図２】
0006468918.tif 000003
【図３】
0006468918.tif 000004
【図４】
0006468918.tif 000005
【図５】
0006468918.tif 000006
【図６】
0006468918.tif 000007
【図７】
0006468918.tif 000008
【図８】
0006468918.tif 000009
【図９】
0006468918.tif 000010